(57)【要約】【課題】より多くの農薬成分の、より正確な分析を可能とする成分分析方法を提供することである。【解決手段】本発明の成分分析方法は、農薬付着被検体又は農薬単体に関する一又は複数の農薬スペクトルを予め測定して検索ライブラリ９に記憶しておき、赤外線の反射光から変換される測定スペクトルと、該農薬スペクトル及び集合スペクトルとの間で、検索パラメータ（演算方法、対象波数領域、検索アルゴリズム等）を適宜設定し、相関演算を行ない、測定スペクトルに含まれる農薬スペクトル及び集合スペクトルを個別に判別して、これらの農薬スペクトルと測定スペクトルとの相関が予め設定した出荷基準値以上であるか否かによって被検体６の出荷の可否を判別するものである。【選択図】図４
2008064688.tif 000002
【特許請求の範囲】
【請求項１】
農薬付着被検体又は農薬単体のスペクトルに関する一又は複数の農薬スペクトルを記憶する検索ライブラリを備え、赤外線の反射光から変換される測定スペクトルと前記検索ライブラリの農薬スペクトルとの相関を演算して、被検体表面に付着した残留農薬を測定する成分分析装置であって、
類似した複数の農薬スペクトルを集合スペクトルとし、該集合スペクトルと前記測定スペクトルとの相関を判断した後、設定相関度以上の測定スペクトルと単体の農薬スペクトルとの相関を判定することを特徴とする成分分析方法。
【請求項２】
前記測定スペクトルと検索ライブラリの農薬スペクトルとの相関度の判定の前段階で、測定スペクトルが予め設定したノイズレベル設定値以上か否かによって残留農薬の有無を判定する
ことを特徴とする請求項１に記載の成分分析方法。
【発明の詳細な説明】
【技術分野】
【０００１】
本発明は、被検体の表面に付着した残留農薬を分析する技術に関する。より詳細には、光分析技術を用いて残留農薬濃度等、被検体の成分分析を行なう成分分析装置において、農薬の成分を分析する技術に関する。
【背景技術】
【０００２】
従来、青果物に付着した残留農薬について、この残留農薬の濃度等が食品衛生法により定められる残留農薬基準値に適合しているか否かを判別するために、委託分析や、ＥＬＩＳＡ法を用いた簡易分析による破壊検査にて検査していた。また、試料を破壊することなく試料表面に付着した残留農薬の濃度等を測定する方法として、試料に赤外線を照射し、その拡散反射光をＦＴ−ＩＲ（フーリエ変換赤外分光光度計）を用いて分析する技術が公知となっている（例えば特許文献１参照）。
【０００３】
また、非破壊検査における残留農薬の測定方法としては、赤外線を照射しその反射光のスペクトル分布を、農薬における種類ごとのピーク分布を比較することによって、農薬の種類を判別し、かつ、前記スペクトル分布における最大ピーク値によって残留農薬値を求める技術が公知となっている（例えば、特許文献２）。このような残留農薬測定方法においては、赤外線の反射光をスペクトル分析し、そのスペクトル分析にて検出された検出データを残留農薬測定装置に具備されている検索ソフトにかけ、その検索ソフトに予め登録されている数種類のデータとの相関により農薬の種類同定が行われていた。
【特許文献１】特開２００４−３２５１３５号公報
【特許文献２】特開２００５−１７７６２７号公報
【発明の開示】
【発明が解決しようとする課題】
【０００４】
しかし、破壊検査の場合は、委託費用が高価であったり、試料作成作業に時間がかかったりする等の問題点や、破壊検査であるために全数検査が不可能であるという問題点があった。
また、特許文献２に開示されている残留農薬測定方法において、農薬の種類同定は一度の検索によるものであり、二つ以上の農薬のスペクトルデータが酷似している場合は、それらを一度の検索で判別することは困難であり、多種類の農薬を判定する必要のある新たな残留基準制度に適合しない可能性があった。
そこで、本発明が解決しようとする課題は、より多くの農薬成分の、より正確な分析を可能とする成分分析方法を提供することである。
【課題を解決するための手段】
【０００５】
本発明の解決しようとする課題は以上の如くであり、次にこの課題を解決するための手段を説明する。
【０００６】
即ち、請求項１においては、農薬付着被検体又は農薬単体のスペクトルに関する一又は複数の農薬スペクトルを記憶する検索ライブラリを備え、赤外線の反射光から変換される測定スペクトルと前記検索ライブラリの農薬スペクトルとの相関を演算して、被検体表面に付着した残留農薬を測定する成分分析装置であって、
類似した複数の農薬スペクトルを集合スペクトルとし、該集合スペクトルと前記測定スペクトルとの相関を判断した後、設定相関度以上の測定スペクトルと単体の農薬スペクトルとの相関を判定するものである。
【０００７】
請求項２においては、前記測定スペクトルと検索ライブラリの農薬スペクトルとの相関度の判定の前段階で、測定スペクトルが予め設定したノイズレベル設定値以上か否かによって残留農薬の有無を判定するものである。
【発明の効果】
【０００８】
本発明の効果として、以下に示すような効果を奏する。
【０００９】
請求項１の如く構成したので、被検体を破壊したり傷ませたりすることなく、被検体表面に付着した残留農薬を即座に分析することができる。
残留農薬基準値を超えた被検体を出荷できなくなるリスクを未然に防ぐことができるとともに、出荷する被検体又は穀物等に対して付加価値を与えることが出来る。
また、従来のように各農薬に対し検量線を作成しなくても、一又は複数の農薬スペクトルと、スペクトル波形が酷似する農薬スペクトルを同一集合とした集合スペクトルとを記憶したライブラリを作成すれば、迅速に多種の農薬について成分分析することができる。そして、段階的な特定作業を繰り返すことによって、従来のものより多くの農薬成分をより正確に分析することが可能となる。
【００１０】
請求項２の如く構成したので、一の被検体に対する処理時間が短くなり、より多くの被検体の残留農薬について成分分析できる。
【発明を実施するための最良の形態】
【００１１】
次に、発明の実施の形態を説明する。
図１は成分分析装置１の斜視図、図２は成分分析装置１の側面断面図、図３は測定スペクトルの波形を示す図、図４は成分分析に係るフローチャート図である。
【００１２】
本発明に係る成分分析装置１にて測定される被検体６は、イチゴ、蜜柑、オレンジ、メロン、トマトその他の青果物または材料等の総称である。そして、例えば、被検体６が青果物である場合には、残留農薬の種類・量・濃度等（以下、残留農薬濃度等とする）によって、当該青果物の選別等を行なうことができるものである。詳述すると、図１に示すように、被検体６は、コンテナ４０等から取り出され、成分分析装置１によって被検体６表面の測定スペクトルを測定されて、後述する検索ライブラリ９に記憶された農薬スペクトルと該測定スペクトルとの相関に基いて、出荷可能な被検体６ａ（該相関が出荷基準値未満の青果物）と廃棄被検体６ｂ（該相関が出荷基準値以上の青果物）とに判別されるものである。
【００１３】
成分分析装置１によって行なわれる被検体６の出荷の可否についての判別は、図１及び図２に示すように、被検体６を成分分析装置１のステージ３上に載置し、被検体６表面に赤外線を照射して、反射光の光学的情報を測定スペクトルに変換し、予め検索ライブラリ９に記憶されている農薬スペクトルと該測定スペクトルと波形の合致している率（以下、相関という。）を演算し、該相関と後述する出荷基準値とを比べることによって行なうものである。
【００１４】
図２に示すように、成分分析装置１は、上面にステージ３が設けられた筐体２３と、該筐体２３内部に配設される、投光部７と、投光部７から発した赤外線を分割して合成（干渉）し、照射用反射手段１２へと投光する干渉計１４と、該合成された赤外線を下記照射用ミラー１１へと導く照射用反射手段１２・１３と、該照射用反射手段１２・１３によって導かれた該赤外線を反射して載置台５上の被検体６側面に照射（矢印Ｂ）する照射用ミラー１１と、該被検体６で反射（矢印Ｃ）した赤外線を受光用反射手段１８・１９及び光路変更手段１５へと反射する受光用ミラー１７と、該受光用ミラー１７にて反射された赤外線を検知部３２に投光する光路変更手段１５と、光路変更手段１５からの赤外線を検知し、検知した赤外線の光学的情報を出力信号としてＡＤ変換器３３へ送信する検知部３２と、該出力信号をデジタル信号に変換した後に演算手段１０へ送信するＡＤ変換器３３と、該演算手段１０と、該演算手段１０に接続された検索ライブラリ９等から構成されるものである。そして、前記筐体２３の上面には、前記投光部７や検知部３２等を起動するためのスイッチ２１と、後述する演算手段１０等で変換された測定スペクトルや演算された判別結果を表示する表示部３０とが配設されている。
【００１５】
本発明の成分分析装置１では、被検体６が前記ステージ３上に載置されてスイッチ２１が押されると、投光部７より干渉計１４や照射用ミラー１１を介して被検体６に赤外線が照射され、該被検体６で反射した反射光は受光用ミラー１７や光路変更手段１５を介して受光部８にて吸収される。そして、受光部８に吸収された赤外線は、検知部３２にて検知され、ＡＤ変換器３３にてデジタル信号に変換されて、該変換された光学的情報が演算手段１０へと送信される。そして、後述する制御手段１６にて、スペクトル分析を行なうことにより、被検体６表面に付着した残留農薬の有無を判断し、該被検体６が出荷できる被検体（出荷可能な被検体６ａ）であるか出荷できない被検体（廃棄被検体６ｂ）であるかの判別を行ない、該判別結果を表示部３０に表示する。
【００１６】
本発明の成分分析装置１は、被検体６表面に付着した残留農薬を赤外線を用いて測定するものであるため、測定される被検体６表面（被検体６の下面）の位置を最適な位置（以下、焦点位置とする。）に調節しなければ、正確な被検体６表面の赤外線スペクトルを得ることができない。
被検体６表面の位置が最適でない場合は、受光部８で受ける反射光の強度が弱くなるため、スペクトルの波形において波数に応じた強度の違い（スペクトルの凹凸）がはっきりと識別できなくなり、その結果残留農薬の有無や被検体６の判別が正確に行なえなくなるのである。
【００１７】
そこで、成分分析装置１においては、図１及び図２に示すように、成分分析装置１の外壁となる筐体２３の上面に略水平にステージ３を設け、該ステージ３の平面視略中心部に孔部３ａが形成されている。そして、作業者が該孔部３ａを塞ぐように被検体６を載置した状態において、スイッチ２１を押すことにより赤外線を被検体６下面に照射する構成としている。
このように構成すると、該孔部３ａからミラー１１・１７までの距離が常に一定となるため、予め該孔部３ａを赤外線の焦点位置と略一致させておけば、被検体６を該孔部３ａを塞ぐように載置するだけで、該被検体６表面が焦点位置と略一致することになる。
【００１８】
具体的には、予めミラー１２・１３・・・の角度を、該孔部３ａに載置した被検体６表面にて反射した赤外線から得られるスペクトルの凹凸がはっきりする位置に調節しておくことにより、被検体６表面の位置を赤外線の焦点位置と略一致させている。
【００１９】
制御手段１６は、図２に示すように、投光部７やミラー１１・１７・・・の角度等を制御したり、表示部３０等に動作指令（信号）を送信したりするものであって、様々な種類の農薬付着被検体又は農薬単体の農薬スペクトルが記憶されている検索ライブラリ９と、検知部３２からＡＤ変換器３３を介して光学的情報を取得して測定スペクトルに変換し、該測定スペクトルと後述する検索ライブラリ９に記憶された農薬スペクトルとの相関を演算して被検体６の判別を行なう演算手段１０等から構成される。
【００２０】
＜検索ライブラリ９＞
検索ライブラリ９は、演算手段１０等に接続される磁気ディスク等のデータベースであり、予め実験等によって作成された農薬付着被検体又は農薬単体に関する一又は複数種類の農薬スペクトルと出荷基準値が記憶されている。さらに、スペクトル波形が似ている農薬を集合スペクトルとして検索ライブラリ９内で分類しておくと好適である。ここで、前述の出荷基準値とは、食品衛生法等で定められている基準値から算出された値であり、測定前に出荷基準値として設定されているものである。
そして、該検索ライブラリ９には、青果物（被検体６）のヘタや、過熟箇所や、内部が露出している欠陥部等にて反射して得られる異常スペクトルと異常基準値も記憶されている。
また、測定結果にはノイズが含まれている可能性が高いため、このノイズを考慮する手段の一つとして、測定スペクトルのピーク検出時にノイズレベルを設定しておく必要がある。該検索ライブラリ９には、このノイズレベル設定値も記憶されている。
なお、検索ライブラリ９には、成分分析装置１内の機器の動作を制御するためのプログラムを格納しても良い。
【００２１】
前記検索ライブラリ９は、外部の記憶媒体等によって、該農薬スペクトルを更新したり、新たな農薬スペクトルを記憶可能としたり、前記ノイズレベル設定値、出荷基準値等を更新可能としたりしておくと好適である。さらに、圃場内外で散布された農薬を残留している可能性のある農薬として予め検索ライブラリ９に入力可能としてもよい。
また、検索ライブラリ９自体も、本実施例のように筐体２３内に配設されるものに限定するものではなく、前記農薬スペクトルや異常スペクトルが更新可能に記憶される持ち運び可能な記憶媒体であっても良い。そして、新しい農薬付着被検体又は農薬単体の農薬スペクトルが作成された際に、該記憶媒体の記憶内容を更新し、被検体６に付着した残留農薬の測定及び判別時に、最新の農薬スペクトルや異常スペクトルを演算手段１０のメモリ等に記憶する構成であっても良い。
【００２２】
ここで、演算手段１０による成分分析について図４のフローチャート図を用いて説明する。実施例では段階的に残留農薬の有無を検出している。
演算手段１０は、ＡＤ変換器３３から送られてくる該光学的情報をフーリエ変換して波数と強度から表される測定スペクトルを作成し（Ｓ１）、前記検索ライブラリ９から異常スペクトルを呼び出して（Ｓ２）、測定スペクトルと異常スペクトルとの相関を演算し（Ｓ３）、該相関が予め定められた前記異常基準値以上であるか否かを演算する（Ｓ４）。
検索ライブラリ９に複数の異常スペクトルが記憶されている場合には、検索ライブラリ９から順次それらの異常スペクトルを呼び出して、測定スペクトルとそれぞれの異常スペクトルとの相関を演算し、該相関の最大値が異常基準値以上であれば分析失敗と判断して（Ｓ４：ＹＥＳ）、表示部３０に再分析を促す旨を表示し（Ｓ１１）、成分分析を終了する。
【００２３】
＜残留有無及び残留農薬判定＞
さらに次の段階では残留農薬の有無の判断を行う。前記測定スペクトルのピーク（最大値）を検出し（Ｓ５）、検索ライブラリ９からノイズレベル設定値を呼び出し（Ｓ６）、該ピークの始まりから頂上（若しくは、谷）の差が予め設定したノイズレベル設定値（図３ｎ０）以上か否かを判別する（Ｓ７）。すなわち、検索ライブラリ９にはノイズレベル設定値ｎ０が記憶されており、検索ライブラリ９からそのノイズレベル設定値を呼び出して、測定スペクトルのピークの始まりから頂上の差とノイズレベル設定値とを比較し、該ピークが該ノイズレベル設定値以下であれば、残留農薬無しと判断して（Ｓ７：ＮＯ）、出荷可能な被検体６ａと判別し、該判別結果を表示部３０に表示し（Ｓ１２）、判別処理を終了する。また、該ピークがノイズレベル設定値以上であれば、残留農薬有りと判別し（Ｓ７：ＹＥＳ）、次の段階に移り測定スペクトルと農薬スペクトルの相関の高い農薬を残留農薬と判定し、残留農薬判別の演算処理を行なう（Ｓ８）、その判別結果を表示部３０に表示し（Ｓ９）、成分分析を終了する。
【００２４】
＜判別サブルーチン＞
残留農薬判別の演算処理では、最初の段階で、互いの相関度が高い登録スペクトル、つまり集合スペクトルまたは単独の農薬スペクトルとの相関を判別する。即ち、検索ライブラリ９から後述する波数間ごとに特徴的波形を有する単体（一種に特定できる）の農薬スペクトル及び類似の波形を有する集合スペクトルを呼び出して（Ｓ８１）、相関演算に係る検索パラメータを呼び出し（Ｓ８２）、測定スペクトルと農薬スペクトル及び集合スペクトルとの相関を演算して（Ｓ８３）、該相関度の高い農薬スペクトルを特定する（Ｓ８４：ＹＥＳ）。
さらに、該農薬スペクトルが集合スペクトルか否かを判断し（Ｓ８５）、集合スペクトルではない場合は（Ｓ８５：ＹＥＳ）、特定の農薬と判定でき、該相関が予め定められた前記出荷基準値以上であるか否かを演算し（Ｓ８６）、該相関が出荷基準値未満の場合は（Ｓ８６：ＹＥＳ）、前記残留農薬すべてについて特定したか否か、つまり全ての波数について判定したかを判断し（Ｓ８７）、特定が終了している場合は（Ｓ８７：ＹＥＳ）判別処理を終了してＳ９に進む。
一方、該相関度の低い場合は（Ｓ８４：ＮＯ）、次の波数間に移り、前記残留農薬の全ての農薬スペクトルを特定するまで同様の処理を繰り返す。
また、Ｓ８５において集合スペクトルと判断された場合は、さらに微小な波形の差異まで判別する段階に移る。つまり、該集合スペクトルに含まれる農薬スペクトルを差異を特化する検索パラメータを呼び出し（Ｓ８８）、相関演算（Ｓ８３）に戻り、個別に判別できるようにし、処理を繰り返す。
前記検索パラメータは、例えば対象波数領域の選定、波形データの演算処理（Ｋ／Ｍ変換や微分処理等）や、検索のアルゴリズム等であり、各農薬で正確に検索できるようなパラメータ条件は実験等で予め求めておいて、検索ライブラリ９に記憶させておく。
【００２５】
前述の集合スペクトルについて、検索ライブラリ９に記憶されている二種類以上の農薬スペクトルについて測定スペクトルとの相関を演算するときに、呼び出された検索パラメータによって演算後のスペクトル波形が酷似している場合がある。該検索パラメータ下では同じ農薬スペクトルと判別されて、残留農薬と判定されるすべての農薬種について判別するという目的を達成しなくなってしまう可能性がある。
そこで、このような農薬スペクトルについて予め実験等によって酷似するスペクトル波形をもたらすパラメータ条件を、特定の農薬種として分類し、該当農薬種の農薬スペクトルの集合を集合スペクトルとして検索ライブラリ９に記憶させておく。さらに、該集合スペクトルの個別の判別が可能な、該農薬スペクトルの差異に特化したパラメータ条件を実験等により予め求めておき、これらを検索ライブラリ９に記憶させておく。
このようにして、検索ライブラリ９に予め記憶されている農薬種について個別に判別することが可能となる。また、本発明の解決すべき課題でもある、より多くの農薬成分の、より正確な分析を可能とする成分分析装置を提供することができる。
【００２６】
換言すれば、本発明の成分分析方法は、農薬付着被検体又は農薬単体に関する一又は複数の農薬スペクトルを予め測定して検索ライブラリ９に記憶しておき、赤外線の反射光から変換される測定スペクトルと、該農薬スペクトル及び集合スペクトルとの間で、検索パラメータ（演算方法、対象波数領域、検索アルゴリズム等）を適宜設定し、相関演算を行ない、測定スペクトルに含まれる農薬スペクトル及び集合スペクトルを個別に判別して、これらの農薬スペクトルと測定スペクトルとの相関が予め設定した出荷基準値以上であるか否かによって被検体６の出荷の可否を判別するものである。
【００２７】
該相関の演算方法は、具体的には、演算手段１０が、図３に示すように検索ライブラリ９に記憶された農薬スペクトルの特徴的な波形が現れる波数間Ｘ・Ｙ・・・（若しくは波長間）において、それぞれ該農薬スペクトルと該測定スペクトルとの相関係数を演算し、そのうち最も大きい相関係数が前記出荷基準値以上であるかを演算することによって行なう。
検索ライブラリ９に複数の農薬スペクトルが記憶されている場合には、検索ライブラリ９に記憶されているそれぞれの農薬スペクトル毎に測定スペクトルとの最も大きい相関係数を求め、農薬スペクトル毎に求められた該最も大きい相関係数の中から最大値を選び出し、該最大値が出荷基準値以上であるか否かを判断する。
このように構成すると、複数種類の残留農薬が付着している被検体６に対しての残留農薬の測定及び判別をより正確に行なうことができる。詳しくは、被検体６に複数種類の残留農薬が付着している場合においても、それぞれの農薬スペクトルとの相関係数が高く測定されるので、前記出荷基準値を高く設定してより正確な判別を行なうことができるのである。
【００２８】
また、演算手段１０が、先に複数種類の農薬スペクトルを合成して複数の合成スペクトルを作成しておき、上述同様に、それぞれの合成スペクトルと前記測定スペクトルとの相関を演算する構成であっても良い。この場合は、測定スペクトルや合成スペクトルを分割することなく相関が求められる。
【００２９】
ここで、検索ライブラリ９及び演算手段１０等から構成される制御手段１６には、筐体２３の外部に配設されるパーソナルコンピュータ等の計算機を用いても良く、筐体２３の内部に配設されるものに限定するものではない。
【００３０】
最後に、本発明の成分分析装置１による残留農薬の測定及び判別方法についてまとめる。
被検体６が成分分析装置１のステージ３に載置されて、作業者によってスイッチ２１が押されると、演算手段１０は投光部７から赤外線を投光して残留農薬の測定を開始させる。但し、演算手段１０を介すことなく、スイッチ２１が、直接投光部７から赤外線を投光させる構成としても良い。
そして、該赤外線は被検体６表面で反射し、演算手段１０では前記ＡＤ変換器３３から送信されてきた反射光に関する出力信号を測定スペクトルに変換する。詳しくは、前記検知部３２で検知した反射光の光学的情報が、ＡＤ変換器３３を介してデジタル信号として演算手段１０に送信されて、該演算手段１０が反射光の時間関数としての波形を、周波数の関数としての測定スペクトルにフーリエ変換する。
【００３１】
そして、該フーリエ変換の結果はスペクトルとして表示部３０にて表示される。
演算手段１０は、検索ライブラリ９から順次異常スペクトルを呼び出し、それらの異常スペクトルと測定スペクトルとの相関を演算し、該相関が予め定められた異常基準値以上であるか否かを判別する。
該相関が異常基準値以上である場合には、作業者が被検体６をステージ３上に載置しなおして、若しくは自動で搬送ライン等を回って再度ステージ３上に載置されて、検索ライブラリ９から順次異常スペクトルを呼び出し、それらの異常スペクトルと測定スペクトルとの相関を演算し、該相関が予め定められた異常基準値以上であるか否かを判別する。
【００３２】
該相関が異常基準値未満である場合には、検索ライブラリ９からノイズレベル設定値を呼び出し、測定スペクトルのピークと比較し、該ピークがノイズレベル設定値未満であれば、被検体６を出荷可能な被検体６ａと判断し、一方、該ピークがノイズレベル設定値以上であれば、検索ライブラリ９より順次農薬スペクトル及び検索パラメータを呼び出し、測定スペクトルに含まれる農薬スペクトル若しくは集合スペクトルを判別する。ここで、判別されたスペクトルが集合スペクトルと判断されると、該集合スペクトルを個別に判別しうる検索パラメータを呼び出して、これらの相関を演算して個別の農薬スペクトルに特定する。そして、これらの農薬スペクトルと測定スペクトルとの相関を演算し、該相関が予め定められた出荷基準値以上であるか否かを判別する。この判別処理を残留農薬全てに対して行なう。
作業者は、該相関が出荷基準値未満である場合には、当該被検体６を出荷被検体６ａとして出荷し、該相関が出荷基準値以上である場合には、当該被検体６を廃棄被検体６ｂとして処理若しくは洗浄する。
【００３３】
農薬付着被検体又は農薬単体のスペクトルに関する一又は複数の農薬スペクトルを記憶する検索ライブラリ９を備え、赤外線の反射光から変換される測定スペクトルと前記検索ライブラリの農薬スペクトルとの相関を演算して、被検体表面に付着した残留農薬を測定する成分分析装置１であって、類似した複数の農薬スペクトルを集合スペクトルとし、該集合スペクトルと前記測定スペクトルとの相関を判断した後、設定相関度以上の測定スペクトルと単体の農薬スペクトルとの相関を判定するので、被検体を破壊したり傷ませたりすることなく、被検体表面に付着した残留農薬を即座に分析することができる。
残留農薬基準値を超えた被検体を出荷できなくなるリスクを未然に防ぐことができるとともに、出荷する被検体又は穀物等に対して付加価値を与えることが出来る。
また、従来のように各農薬に対し検量線を作成しなくても、一又は複数の農薬スペクトルと、スペクトル波形が酷似する農薬スペクトルを同一集合とした集合スペクトルとを記憶したライブラリを作成するので、迅速に多種の農薬について成分分析することができる。そして、段階的な特定作業を繰り返すことによって、従来のものより多くの農薬成分をより正確に分析することが可能となる。
【００３４】
前記測定スペクトルと検索ライブラリ９の農薬スペクトルとの相関度の判定の前段階で、測定スペクトルが予め設定したノイズレベル設定値以上か否かによって残留農薬の有無を判定するので、一の被検体に対する処理時間が短くなり、より多くの被検体の残留農薬について成分分析できる。
【図面の簡単な説明】
【００３５】
【図１】成分分析装置１の斜視図。
【図２】成分分析装置１の側面断面図。
【図３】測定スペクトルの波形を示す図。
【図４】成分分析に係るフローチャート図。
【符号の説明】
【００３６】
３    ステージ
６    被検体
７    投光部
９    検索ライブラリ
１０  演算手段
２０  成分分析装置
３０  表示部
【図１】
2008064688.tif 000003
【図２】
2008064688.tif 000004
【図３】
2008064688.tif 000005
【図４】
2008064688.tif 000006